(57)【要約】【課題】意匠性および生産性の高い寝具、寝具の製造方法、およびバンドを提供する。【解決手段】対向する第１キルト６および第２キルト７を備える。第１キルト６および第２キルト７の夫々が、その周縁部を裏側に折り返した折り返し部６４，７４を備える。第１キルト６の折り返し部６４と第２キルト７の折り返し部７４とが表面を向かい合わせにして縫い付けられる。【選択図】図２
2016087175.tif 000002
【特許請求の範囲】
【請求項１】
対向する第１キルトおよび第２キルトを備え、
前記第１キルトおよび前記第２キルトの夫々が、その周縁部を裏側に折り返した折り返し部を備え、
前記第１キルトの折り返し部と前記第２キルトの折り返し部とが表面を向かい合わせにして縫い付けられたことを特徴とする寝具。
【請求項２】
前記寝具は、前記第１キルトと前記第２キルトの間に位置する中材を備えたことを特徴とする請求項１に記載の寝具。
【請求項３】
前記第１キルト、前記中材、および前記第２キルトが刺し縫いされ、前記第１キルトおよび前記第２キルトのうちの少なくとも一方のキルティング加工による縫い目が、前記刺し縫いにより形成された縫い目と重なる重複部と重ならない非重複部を備えたことを特徴とする請求項２に記載の寝具。
【請求項４】
前記第１キルトのキルティング加工による縫い目と、前記第２キルトのキルティング加工による縫い目が重複していることを特徴とする請求項１〜３のいずれか１項に記載の寝具。
【請求項５】
前記第１キルトの折り返し部と前記第２キルトの折り返し部が、周方向の一部を除いて縫い付けられて第１縫い目が形成され、前記第１キルトと前記第２キルトから構成された袋体の周縁部の周方向の一部に前記第１縫い目のない非縫い付け部が形成され、前記非縫い付け部において前記第１キルトと前記第２キルトが縫い付けられて第２縫い目が形成されたことを特徴とする請求項１〜４のいずれか１項に記載の寝具。
【請求項６】
前記第２縫い目が前記袋体の周縁部の周方向の全長に亘って連続したことを特徴とする請求項５に記載の寝具。
【請求項７】
前記第１キルトと前記第２キルトから構成された袋体の異なる辺間に跨るバンドを備え、このバンドの長さ方向の両端部が前記第１キルトの折り返し部と前記第２キルトの折り返し部の間に挟まれて、前記第１縫い目によって前記第１キルトおよび前記第２キルトに縫い付けられたことを特徴とする請求項１〜６のいずれか１項に記載の寝具。
【請求項８】
第１キルトと第２キルトを中表に合わせてその周縁部同士を周方向の一部を除いて縫い付けることで、周縁部の周方向の一部に開口部を有する袋体を形成し、この後、前記袋体を前記開口部から引き出して表裏反転することを特徴とする寝具の製造方法。
【請求項９】
前記袋体を前記開口部から引き出して表裏反転した後、前記袋体に前記開口部から中材を挿入し、この後、前記開口部において前記第１キルトと前記第２キルトを縫い付けて前記開口部を閉じることを特徴とする請求項８に記載の寝具の製造方法。
【請求項１０】
対向する第１布体と第２布体との間に長さ方向の両端部が挟まれて縫い付けられるバンドであって、
ゴム材と、
前記ゴム材を覆うカバーを備え、
前記カバーの周方向の両端部が表面を向い合わせにして縫い付けられ、この縫い糸で前記ゴム材が前記カバーに縫い付けられたことを特徴とするバンド。
【発明の詳細な説明】
【技術分野】
【０００１】
本発明は、寝具、寝具の製造方法、およびバンドに関する。
【背景技術】
【０００２】
特許文献１には、敷パッドや枕等に利用される詰物体が開示されている。この詰物体は、表生地、中綿、および裏生地を重ね合わせ、これら表生地、中綿、および裏生地をキルティング加工により一体化している。
【先行技術文献】
【特許文献】
【０００３】
【特許文献１】特開２００６−６８２３０号公報
【発明の概要】
【発明が解決しようとする課題】
【０００４】
ところで、特許文献１のように形成された寝具にあっては、表生地と裏生地の周縁部同士を縫い付けた縫い目が目立って高級感が出難く、意匠性が低いという課題がある。
【０００５】
また、寝具には例えば敷布団に取り付けるためのゴム材から形成されたバンドを取り付ける場合があるが、ゴム材は外観が良くないという課題もある。
【０００６】
本発明は前記事情に鑑みてなされたものであって、意匠性の高い寝具、その製造方法、およびバンドを提供することを課題とする。
【課題を解決するための手段】
【０００７】
前記課題を解決するために本発明の寝具は、対向する第１キルトおよび第２キルトを備え、前記第１キルトおよび第２キルトの夫々が、その周縁部を裏側に折り返した折り返し部を備え、前記第１キルトの折り返し部と前記第２キルトの折り返し部とが表面を向かい合わせにして縫い付けられたことを特徴とする。
【０００８】
また、本発明の寝具の製造方法は、第１キルトと第２キルトを中表に合わせてその周縁部同士を周方向の一部を除いて縫い付けることで、周縁部の周方向の一部に開口部を有する袋体を形成し、この後、前記袋体を前記開口部から引き出して表裏反転することを特徴とする。
【０００９】
また、本発明のバンドは、対向する第１布体と第２布体との間に長さ方向の両端部が挟まれて縫い付けられるバンドであって、ゴム材と、前記ゴム材を覆うカバーを備え、前記カバーの周方向の両端部が表面を向い合わせにして縫い付けられ、この縫い糸で前記ゴム材が前記カバーに縫い付けられたことを特徴とする。
【発明の効果】
【００１０】
本発明に係る寝具およびその製造方法にあっては、第１キルトと第２キルトを縫い付ける縫い目が外面に現れ難く、意匠性を高くできる。
【００１１】
また、本発明に係るバンドにあっては、ゴム材をカバーで覆って意匠性を向上できる。
【図面の簡単な説明】
【００１２】
【図１】本発明の実施形態の寝具の斜視図である。
【図２】図３のＡ−Ａ′線断面図である。
【図３】図３Ａは前記寝具の平面図であり、図３Ｂは前記寝具の底面図である。
【図４】図４Ａ〜図４Ｃは、寝具の製造方法を順に示した説明図である。
【図５】前記寝具のバンドの断面図である。
【図６】図３ＡのＢ−Ｂ′線断面図である。
【図７】変形例の寝具を示し、図７Ａは平面図であり、図７Ｂは底面図である。
【図８】他の変形例の寝具を示し、図８Ａは平面図であり、図８Ｂは底面図である。
【図９】さらに他の変形例の寝具の断面図である。
【発明を実施するための形態】
【００１３】
以下、添付図面に基づいて本発明の実施形態について説明する。
【００１４】
図１に示す本実施形態の寝具１は、敷布団パッド（敷マット）であって、敷布団の上に敷いて用いられる。なお、寝具１は、ベッドの上に敷いて用いられるベッドパッドや、敷布団、枕等のその他の寝具であってもよい。
【００１５】
本実施形態の寝具１は、平面視長方形状の寝具本体２と、寝具本体２を敷布団に取り付けるためのバンド３を備えている。
【００１６】
寝具本体２は、袋体４（側生地）と中材５（図２参照）を備えている。袋体４は、寝具本体２の外面を構成している。
【００１７】
図３Ａは本実施形態の寝具１の平面図であり、図３Ｂは寝具１の底面図である。袋体４は、対向する第１布体６と第２布体７から構成されている。本実施形態の第１布体６および第２布体７はキルトである。ここで、キルトとは、複数枚の生地を重ね合わせてキルティング加工（刺し縫い）により縫い合わせた生地である。以下、必要に応じて、第１布体６を第１キルト６と記載し、第２布体７を第２キルト７と記載する。なお、第１布体６および第２布体７は、キルト以外の布地で構成されてもよい。
【００１８】
第１キルト６および第２キルト７は、平面視において同じ大きさの長方形状であって重なっている。マット状の寝具本体２の両面のうち、一方の面が第１キルト６で構成され、他方の面が第２キルト７で構成されている。
【００１９】
第１キルト６および第２キルト７の夫々には、前記キルティング加工による縫い目６０，７０が全体に亘っている。具体的に第１キルト６および第２キルト７の夫々には、幅方向に亘る縫い目６０，７０が長さ方向に複数形成されている。
【００２０】
本実施形態では、第１キルト６の縫い目６０と第２キルト７の縫い目７０が平面視で重なる位置に存在している。このため、袋体４の外観は、あたかも一枚のキルトのようである。
【００２１】
図２に示すように、本実施形態の第１キルト６および第２キルト７の夫々は３層構造である。第１キルト６は、表地６１、中地６２、および裏地６３を備えている。第２キルト７は、表地７１、中地７２、および裏地７３を備えている。
【００２２】
第１キルト６および第２キルト７の夫々の表地６１，７１、中地６２，７２、および裏地６３，７３に用いられる生地は、特に制限されない。第１キルト６および第２キルト７の夫々の表地６１，７１、中地６２，７２、および裏地６３，７３には、例えば綿、麻、ウール等の天然繊維、レーヨン、ポリエステル等化学繊維、あるいは天然繊維と化学繊維を混紡した混紡糸が用いられる。
【００２３】
本実施形態の第１キルト６の表地６１には、柔らかいフランネル生地が用いられ、第２キルト７の表地７１には通気性の良い綿製の布地が用いられている。また、第１キルト６の中地６２および第２キルト７の中地７２には、抗菌処理を施した通気性を有するメッシュ布地が用いられている。また、第１キルト６の裏地６３、および第２キルト７の裏地７３には、クッション性を有するダブルラッセル編の立体メッシュが用いられている。
【００２４】
なお、第１キルト６と第２キルト７は、形状や材質が同じ生地から形成されてもよいし、異なる生地から形成されてもよい。本実施形態の寝具１のように第１キルト６の表地６１がフランネル生地であり、第２キルト７の表地７１が綿製の布地である場合、裏返すことで季節にかかわらず快適な睡眠を取ることが可能になる。
【００２５】
例えば冬季等の気温の低い日には、利用者は寝具１をフランネル生地を有する第１キルト６を上にして用いることで、温かく感じられる。また、例えば夏季等の気温の高い日には、利用者は寝具１を綿製の布地を有する第２キルト７を上にして用いることで、涼しく感じられる。従って、第１キルト６および第２キルト７の一方を夏季用のキルトとし、他方を冬用のキルトにすることが好ましい。
【００２６】
なお、第１キルト６の表地６１と第２キルト７の表地７１の組み合わせは、例えば綿製の布地と麻製の布地、あるいは通気性の低い布地と通気性の高いメッシュ地等であってもよい。
【００２７】
第１キルト６および第２キルト７の夫々は、周縁部を周方向に亘って夫々の裏側（裏地６３，７３側）に折り返した折り返し部６４，７４を備えている。以下、必要に応じて、第１キルト６の折り返し部６４を第１折り返し部６４と記載し、第２キルト７の折り返し部７４を第２折り返し部７４と記載する。
【００２８】
第１折り返し部６４と第２折り返し部７４は、表面（表地６１，７１の表面）を向かい合わせにした状態で、その周縁部同士が第１縫い目１０となる縫い糸により周方向の一部を除いて縫い付けられている。袋体４の周縁部の周方向の一部には、第１縫い目１０となる縫い糸によって縫い付けられていない非縫い付け部４０（図４Ａおよび図４Ｂ参照）が形成されている。本実施形態の非縫い付け部４０は、袋体４の短辺の中間部に形成されている
袋体４は、第１キルト６と第２キルト７の周縁部同士を袋縫いすることにより形成される。具体的に第１キルト６と第２キルト７は、図４Ａに示すように、中表にした状態で周縁部の非縫い付け部４０を除く部分が周方向に亘って縫い付けられ、この縫い付けにより袋体４には第１縫い目１０が形成される。このとき、袋体４の周方向の一部には、非縫い付け部４０で構成された開口部４０Ａが形成される。そして、この袋体４は、袋体４の第１縫い目１０が形成されない開口部４０Ａから引き出されて表裏反転される。この作業は、例えば、第１キルト６の表地６１または第２キルト７の表地７１を開口部４０Ａから引き出すことで行われる。これにより、図４Ｂに示すように袋体４の表地６１，７１が外面に現れて裏地７３が中に入る。
【００２９】
ここで、前記中表とは、第１キルト６と第２キルト７の表面同士が向かい合わせになっていることを意味している。すなわち、この場合、第１キルト６と第２キルト７は、表地６１，７１が中に、裏地６３，７３が外に配置される。また、第１縫い目１０を形成する縫い糸は、図２に示すように第１折り返し部６４の裏地７３の裏面から、第２折り返し部７４の裏地６３の裏面までを貫通している。
【００３０】
なお、本実施形態の非縫い付け部４０（開口部４０Ａ）は、袋体４の一辺の一部に形成されているが、袋体４の一辺に亘って形成されてもよい。また、非縫い付け部４０は、袋体４の２辺に跨って形成されてもよい。ただし、非縫い付け部４０は、一辺の一部のみ形成されている方が目立ち難くてよい。
【００３１】
図３Ｂに示すように、平面視長方形状の袋体４には、長さ方向の複数個所に帯状のバンド３が取り付けられている。各バンド３は、袋体４の対向する２つの長辺に跨っている。
【００３２】
図５は本実施形態のバンド３の長さ方向と直交する断面図である。本実施形態のバンド３は、帯状のゴム材３０と、布地から形成されたカバー３１を備えている。ゴム材３０をカバー３１で覆うことで、バンド３は、高級感のある外観になっている。
【００３３】
本実施形態のカバー３１は、一枚の布地から形成されている。バンド３は、例えば以下のように形成される。まず、カバー３１を構成する帯状の布地を中表で幅方向の中間部を介して折り重ねる。これにより、カバー３１の周方向の両端部（幅方向の両端部）は、表面を向い合わせにして重なる。そして、カバー３１の前記表面を向い合わせにした周方向の両端部に、ゴム材３０を延ばした状態で重ね合わせる。続いて、ゴム材３０を延ばしたまま、前記カバー３１の重ね合わせた周方向の両端部と、ゴム材３０とを、縫い糸３２により縫い付ける。この縫い糸３２は、ゴム材３０の長手方向に沿う縫い目となる。そして、袋状となって長さ方向の両端が開口したカバー３１と、ゴム材３０を、カバー３１の端部開口から引き出して表裏反転する。
【００３４】
このように形成されたバンド３は、ゴム材３０が非伸長状態にあるとき、カバー３１が長さ方向に収縮する。このため、ゴム材３０を長さ方向に伸ばしたときに、ゴム材３０の伸びがカバー３１によって制限され難くなっている。また、カバー３１が伸びきった状態では、ゴム材３０はそれ以上は伸びない。このため、ゴム材３０の劣化が制限される。
【００３５】
バンド３の長さ方向の両端部は、図６に示すように、第１縫い目１０によって袋体４に縫い付けられている。具体的には、前記のように中表に配置された第１キルト６と第２キルト７を、第１縫い目１０となる縫い糸によって縫い付ける際には、第１キルト６と第２キルト７の間にバンド３を配置し、この状態で第１縫い目１０となる縫い糸を、第１キルト６、バンド３、および第２キルト７に通すことで、バンド３は袋体４に縫い付けられる。
【００３６】
利用者は、寝具１を敷布団に取り付ける場合、寝具本体２を敷布団の上に位置させ且つ複数のバンド３を伸ばして敷布団の下に位置させる。これにより、寝具本体２と複数のバンド３の間に敷布団が通されて、寝具１が敷布団に取り付けられる。
【００３７】
バンド３は、寝具本体２の表裏面のいずれにも移動可能である。また、バンド３は、第１折り返し部６４と第２折り返し部７４の間に挟まれて、第１縫い目１０の縫い糸によって寝具本体２の側面部で固定されている。このため、寝具本体２のどちらの面に配置されても違和感がない。従って、利用者は、寝具１を第１キルト６を上にして用いる場合、および第２キルト７を上にして用いる場合のいずれの場合にも、バンド３を用いて寝具１を敷布団に取り付けることができる。
【００３８】
図３Ｂに示すように、本実施形態のバンド３は寝具本体２の対向する２辺に跨っている。このため、寝具１の取付対象となる敷布団の長さが異なる場合にも、バンド３を用いて寝具１を敷布団に取り付けることができる。なお、バンド３は例えば袋体４の隣り合う２辺に跨ってもよい。すなわち、バンド３は袋体４の異なる２辺に跨っていればよい。
【００３９】
図２に示すように袋体４には、中材５が収容されている。中材５は、図４Ｂに示す開口部４０Ａから袋体４に挿入される。中材５は、例えば袋体４の内部に形成された空間の全体に亘る。
【００４０】
中材５としては、例えば中綿が用いられる。なお、中材５の材料は綿に制限されず、ウレタンやポリエステル等から形成された発泡体や、立体メッシュ等であってもよい。また、中材５は、芯材であってもよいし、粒材であってよい。
【００４１】
袋体４の開口部４０Ａにおける第１キルト６と第２キルト７は、図１に示す第２縫い目１１となる縫い糸により縫い付けられており、これにより袋体４の開口部４０Ａが閉じている。なお、図１、図３Ａ、図３Ｂ、図４Ｃにおいては、第２縫い目１１を第１縫い目１０と区別するため、第２縫い目１１を示す破線の幅を第１縫い目１０を示す破線の幅よりも大きくしている。
【００４２】
本実施形態の第２縫い目１１は、袋体４の周縁部の全長に亘って連続している。また、第２縫い目１１は、図２に示すように第１縫い目１０よりも袋体４の内側に位置している。
【００４３】
第２縫い目１１となる縫い糸は、第１キルト６の折り返し部６４を含んで２重になった周縁部と、第２キルト７の折り返し部６４を含んで２重になった周縁部を貫通している。これにより、第１キルト６の周縁部と第２キルト７の周縁部は、周方向の全長に亘って縫い付けられている。このため、第１キルト６と第２キルト７の固定が強くなっている。
【００４４】
図６は図３ＡのＢ−Ｂ′線断面図である。図６に示すように、本実施形態の第２縫い目１１となる縫い糸は、バンド３の長さ方向の両端部に対応する部分において、第１キルト６、バンド３、および第２キルト７を貫通している。すなわち、バンド３は第２縫い目１１となる縫い糸によっても袋体４に縫い付けられている。このため、バンド３は袋体４に強く固定されている。
【００４５】
第２縫い目１１となる縫い糸による第１キルト６と第２キルト７の縫い付けは、袋体４に中材５を挿入した後に行われる。
【００４６】
図２に示すように、寝具本体２の第１キルト６、中材５、および第２キルト７は、第３縫い目１２となる縫い糸によって刺し縫いされている。これにより、第１キルト６、中材５、および第２キルト７は、一体化している。なお、図１、図３Ａ、図３Ｂ、および図４Ｃにおいては、第３縫い目１２を第２縫い目１１と区別するため、第３縫い目１２を示す破線の幅を第２縫い目１１を示す破線の幅よりも大きくしている。
【００４７】
第３縫い目１２の縫い付けは、袋体４に中材５を挿入した後に行われる。なお、第３縫い目１２の縫い付けは、第２縫い目１１を縫い付けた後に行われてもよいし、第２縫い目１１を縫い付ける前に行われてもよい。
【００４８】
本実施形態の第３縫い目１２は、図３Ａおよび図３Ｂに示すように、平面視長方形状の寝具本体２の長さ方向に間隔を介して複数形成されている。各第３縫い目１２は、寝具本体２の幅方向の全長に亘っている。
【００４９】
第３縫い目１２は、第１キルト６のキルティング加工による縫い目６０および第２キルト７のキルティング加工による縫い目７０と重なる位置にのみ存在している。このため、第３縫い目１２は目立ち難くなっている。また、第１キルト６の縫い目６０および第２キルト７の縫い目７０は、第３縫い目１２と重なる重複部６５，７５と、重ならない非重複部６６，７６を備えている。
【００５０】
寝具１は、例えば以下に示すように製造される。まず、図４Ａに示すように、第１キルト６と第２キルト７がバンド３を介して中表に合わせた状態で配置され、この状態で第１キルト６と第２キルト７の周縁部同士が、第１縫い目１０となる縫い糸により周方向の一部を残して縫い付けられて、中表にした開口部４０Ａを有する袋体４が形成される。また、このとき、バンド３の両端部は、第１縫い目１０となる縫い糸によって袋体４に縫い付けられる。
【００５１】
次に中表となった袋体４が、開口部４０Ａから引き出されて表裏反転される。このように反転された袋体４は、図４Ｂに示すように、袋体４の表面が外側に現れて外表となり、バンド３も袋体４の外側に現れる。また、第１キルト６の周縁部および第２キルト７の周縁部が裏側に折り返されて、前記折り返し部６４，７４（図２参照）となる。
【００５２】
次に袋体４の内部に、開口部４０Ａから中材５が挿入される。この後、図４Ｃに示すように、袋体４の第１キルト６および第２キルト７が第２縫い目１１により縫い付けられて開口部４０Ａが閉じられる。また、第１キルト６、中材５、および第２キルト７が、第３縫い目１２となる縫い糸によって刺し縫いされて、一体化される。
【００５３】
以上説明した本実施形態の寝具１は、以下に示す特徴を有している。対向する第１キルト６および第２キルト７を備える。第１キルト６および第２キルト７の夫々が、その周縁部を裏側に折り返した折り返し部６４，７４を備える。第１キルト６の折り返し部６４と第２キルト７の折り返し部７４とが表面を向かい合わせにして縫い付けられる。
【００５４】
この特徴を有する寝具１は、第１キルト６の折り返し部６４と第２キルト７の折り返し部７４とを縫い付ける第１縫い目１０が外面に現れ難く、意匠性が高い。また、仮に第１キルト６と第２キルト７の周縁部同士が裏面を向かい合わせにして縫い付けられた場合、この縫い目はヘム（バイアステープ）により覆う必要がある。しかし、本実施形態では、第１縫い目１０をヘム（バイアステープ）で隠さなくてもよいので、ヘムを省略でき、生産性を高めることができる。
【００５５】
また、寝具１は、本実施形態のように第１キルト６と第２キルト７の間に位置する中材５を備えることが好ましい。この寝具１は、中材５の特徴を付与できる。また、第１キルト６のキルティング加工による縫い目６０となる縫い糸、および第２キルト７のキルティング加工による縫い目７０となる縫い糸が中材５を通らない。このため、中材５には、例えば第１キルト６の縫い目６０となる縫い糸および第２キルト７の縫い目７０となる縫い糸を通すことができないような材質や厚みを有する材料を用いることができる。従って、中材５として材質や厚み等が異なる様々な材料を用いることができる。
【００５６】
また、寝具１は本実施形態のように以下に示す特徴を有することが好ましい。第１キルト６、中材５、および第２キルト７が刺し縫いされる。第１キルト６および第２キルト７のうちの少なくとも一方のキルティング加工による縫い目６０，７０が、刺し縫いにより形成された縫い目１２（第３縫い目１２）と重なる重複部７５と重ならない非重複部７６を備える。
【００５７】
この特徴を有する寝具１は、第３縫い目１２が第１キルト６および第２キルト７のうちの少なくとも一方のキルティング加工による縫い目６０，７０と重複し、目立ち難い。このため、寝具１の外観を良くすることができる。また、袋体４の内部において第３縫い目１２によって仕切られる空間を、第１キルト６の縫い目６０の全部が第３縫い目１２と重複する場合と比較して、大きくなる。このため、袋体４内部の通気性を高めることができ、延いては寝具１の通気性を良くできる。なお、本実施形態の第３縫い目１２は、第２キルト７の縫い目７０とも重複しているが、第３縫い目１２は第１キルト６の縫い目６０にのみ重複してもよいし、第２キルト７の縫い目７０にのみ重複してもよい。
【００５８】
また、寝具１は、本実施形態のように第１キルト６のキルティング加工による縫い目６０と、第２キルト７のキルティング加工による縫い目７０が重複していることが好ましい。この場合、寝具１の外観をあたかも一枚のキルトのような外観にできる。
【００５９】
また、寝具１は本実施形態のように以下に示す特徴を有することが好ましい。第１キルト６の折り返し部６４と第２キルト７の折り返し部７４が、周方向の一部を除いて縫い付けられて第１縫い目１０が形成される。第１キルト６と第２キルト７から構成された袋体４の周縁部の周方向の一部に、第１縫い目１０のない非縫い付け部４０が形成される。非縫い付け部４０において第１キルト６と第２キルト７が縫い付けられて第２縫い目１１が形成される。
【００６０】
この特徴を有する寝具１は、以下のように製造できる。まず、第１キルト６と第２キルト７を中表に合わせてその周縁部同士を第１縫い目１０となる縫い糸により周方向の一部を除いて縫い付けることで、開口部４０Ａを有する袋体４を形成する。この袋体４には、周縁部の周方向の一部に、非縫い付け部４０からなる開口部が形成される。そして、この袋体４を開口部４０Ａから引き出して表裏反転することで、袋体４が形成される。
【００６１】
また、寝具１は、本実施形態のように第２縫い目１１が袋体４の周縁部の周方向の全長に亘って連続することが好ましい。この場合、第２縫い目１１を袋体４の非縫い付け部４０に対応する部分にのみ設ける場合と比較して、非縫い付け部４０が目立ち難くなる。また、第２縫い目１１が袋体４の周方向の全長に亘ることで模様を形成でき、あたかもヘムを付けたような外観にできる。また、第１キルト６と第２キルト７の周縁部同士を、第１縫い目１０と第２縫い目１１により、しっかりと縫い付けることができる。
【００６２】
また、寝具１は、本実施形態のように以下に示す特徴を有することが好ましい。第１キルト６と第２キルト７から構成された袋体４の異なる辺間に跨るバンド３を備える。バンド３の長さ方向の両端部が、第１キルト６の折り返し部６４と第２キルト７の折り返し部７４の間に挟まれて、第１縫い目１０によって第１キルト６および第２キルト７に縫い付けられる。
【００６３】
この特徴を有する寝具１は、袋体４の外面に現れ難い第１縫い目１０によってバンド３を袋体４に縫い付けることができ、寝具１の外観を良くできる。また、バンド３は、第１折り返し部６４と第２折り返し部７４の間に挟まれて、寝具本体２の側面部で固定されている。このため、寝具本体２のどちらの面に配置されても違和感がなく、寝具１を違和感なく両面使用できる。また、バンド３を、第１キルト６と第２キルト７を縫い付ける第１縫い目１０により袋体４に縫い付けることができ、バンド３を第１縫い目１０以外の縫い目で縫い付ける場合と比較して、生産性を向上できる。
【００６４】
また、本実施形態の寝具１の製造方法は、以下に示す特徴を有している。第１キルト６と第２キルト７を中表に合わせてその周縁部同士を周方向の一部を除いて縫い付けることで、周縁部の周方向の一部に開口部４０Ａを有する袋体４を形成する。この後、袋体４を開口部４０Ａから引き出して表裏反転する。
【００６５】
この特徴を有する製造方法は、第１キルト６と第２キルト７を縫い付ける第１縫い目１０が外面に現れず、意匠性の高い寝具１を製造できる。また、ヘムを設けなくてもよく、生産性が良い。
【００６６】
また、寝具１の製造方法は本実施形態のように以下の特徴を有することが好ましい。袋体４を開口部４０Ａから引き出して表裏反転した後、袋体４に開口部４０Ａから中材５を挿入する。この後、開口部４０Ａにおいて第１キルト６と第２キルト７を縫い付けて開口部４０Ａを閉じる。
【００６７】
この特徴を有する製造方法は、中材５の特徴を付与した寝具１を製造できる。また、第１キルト６のキルティング加工による縫い目６０および第２キルト７のキルティング加工による縫い目７０を中材５に通す必要がない。このため、中材５として材質や厚み等が異なる様々な材料を用いることができる。
【００６８】
また、本実施形態のバンド３は、以下に示す特徴を有している。対向する第１布体６と第２布体７との間に長さ方向の両端部が挟まれて縫い付けられるバンドである。バンド３は、ゴム材３０と、ゴム材３０を覆うカバー３１を備える。カバー３１の両端部が表面を向い合わせにして縫い付けられる。この縫い糸３２でゴム材３０がカバー３１に縫い付けられたことを特徴とする。
【００６９】
この特徴を有するバンド３は、ゴム材３０をカバー３１で覆って意匠性を向上できる。また、バンド３の長さ方向の両端部は、第１布体６と第２布体７との間に挟まれて縫い付けられるため、ゴム材３０がカバー３１の長さ方向の両端部から抜け出し難い。このため、カバー３１の長さ方向の両端部を縫い付けなくてもよく、生産性を向上できる。
【００７０】
図７Ａおよび図７Ｂに変形例の寝具１Ａを示す。なお、以下の寝具１Ａの説明では、図１Ａおよび図１Ｂに示した寝具１と共通する構成については同一の符号を付し、共通する点は説明を省略する。
【００７１】
寝具１Ａは、第１キルト６のキルティング加工による縫い目６０および第２キルト７のキルティング加工による縫い目７０が、格子状である。また、寝具１Ａには、中材５および第３縫い目１２が設けられていない。
【００７２】
図８Ａおよび図８Ｂに他の変形例の寝具１Ｂを示す。なお、以下の寝具１Ｂの説明では、図１Ａおよび図１Ｂに示した寝具１と共通する構成については同一の符号を付し、共通する点は説明を省略する。
【００７３】
寝具１Ｂは、第１キルト６のキルティング加工による縫い目６０が、斜め格子状である。また、第２キルト７のキルティング加工による縫い目７０は、第２キルト７の長さ方向に亘っており、第２キルト７の幅方向に複数存在している。また、第１キルト６、中材５、および第２キルト７を縫い付ける第３縫い目１２は、寝具本体２の周縁部に沿う平面視矩形状であり、第１キルト６の縫い目６０および第２キルト７の縫い目７０とは重複していない。
【００７４】
図９にさらに他の変形例の寝具１Ｃを示す。なお、以下の寝具１Ｃの説明では、図１Ａおよび図１Ｂに示した寝具１と共通する構成については同一の符号を付し、共通する点は説明を省略する。
【００７５】
寝具１Ｃは、枕であって、袋体４に多量の中材５が収容されている。なお、寝具１Ｃには、第１キルト６、中材５、および第２キルト７を一体化する第３縫い目１２は設けられてもよいし、設けられなくてもよい。
【００７６】
また、この他、本実施形態の寝具１は、本発明の趣旨を逸脱しない範囲で適宜設計変更可能である。
【符号の説明】
【００７７】
１  寝具
１０  第１縫い目
１１  第２縫い目
１２  第３縫い目
４  袋体
４０  非縫い付け部
４０Ａ  開口部
５  中材
６  第１キルト（第１布体）
６４  折り返し部
６５  重複部
６６  非重複部
７  第２キルト（第２布体）
７４  折り返し部
【図１】
2016087175.tif 000003
【図２】
2016087175.tif 000004
【図３】
2016087175.tif 000005
【図４】
2016087175.tif 000006
【図５】
2016087175.tif 000007
【図６】
2016087175.tif 000008
【図７】
2016087175.tif 000009
【図８】
2016087175.tif 000010
【図９】
2016087175.tif 000011